(57)【要約】【課題】組立や設置が簡単であるにも拘わらず、大人数による利用や余震など外部の衝撃や強風にも耐えられる強度を備え、しかも、清潔で安心して用を足せる組立式小便器及びトイレルームを提供する。【解決手段】尿受け部２と壁面部３の各両サイドに形成されたフラップ部Ｆ１〜Ｆ４を第１の折線Ａに沿って谷折りし、尿受け部２を第２の折線Ｂに沿って谷折りしたら、尿受け部のフラップ部Ｆ１とＦ２を壁面部のフラップ部Ｆ３とＦ４とを締結具で締結する。【選択図】図２
2018202109.tif 000002
【特許請求の範囲】
【請求項１】
尿受け部と壁面部が折り畳み可能となっているシート状の小便器であって、前記尿受け部と前記壁面部の各両サイドに形成された尿の飛散を防止するためのフラップ部と、該フラップ部を谷折りするための第１の折線と、前記尿受け部を谷折りするための第２の折線とを有し、更に、前記第１及び第２の折線に沿って谷折りすることで立体化した際に、前記尿受け部のフラップ部と前記壁面部のフラップ部とを適切な部位で固定するための締結孔が各フラップ部に設けられており、また、前記壁面部にはこれを壁板に取り付けるための取付孔が設けられており、加えて、前記尿受け部には尿を排出するための排水口が設けられていることを特徴とする組立式小便器。
【請求項２】
請求項１に記載の組立式小便器であって、前記尿受け部のフラップ部と前記壁面部のフラップ部の各々には、該尿受け部と該壁面部及びフラップ部の表面全体を被覆する漏斗部を固定するための締結孔が設けられており、前記漏斗部には前記排水口に挿通される排水ホースが備えられていることを特徴とする組立式小便器。
【請求項３】
小便器を設置するトイレルームであって、前記小便器は、
前記尿受け部と前記壁面部の各両サイドに形成された尿の飛散を防止するためのフラップ部と、該フラップ部を谷折りするための第１の折線と、前記尿受け部を谷折りするための第２の折線とを有し、更に、前記第１及び第２の折線に沿って谷折りすることで立体化した際に、前記尿受け部のフラップ部と前記壁面部のフラップ部とを適切な部位で固定するための締結孔が各フラップ部に設けられており、また、前記壁面部にはこれを壁板に取り付けるための取付孔が設けられており、加えて、前記尿受け部には尿を排出するための排水口が設けられていることを特徴とするトイレルーム。
【請求項４】
請求項３に記載のトイレルームであって、前記小便器の前記尿受け部のフラップ部と前記壁面部のフラップ部の各々には、該尿受け部と該壁面部及びフラップ部の表面全体を被覆する漏斗部を固定するための締結孔が設けられており、前記漏斗部には前記排水口に挿通される排水ホースが備えられていることを特徴とするトイレルーム。
【請求項５】
請求項３又は請求項４に記載のトイレルームであって、前記小便器を取り付ける壁板には、大人から子供まで対応できるよう、高さの異なる複数の取付孔が設けられていることを特徴とするトイレルーム。
【発明の詳細な説明】
【技術分野】
【０００１】
本発明は、緊急時とりわけ地震等の災害時に下水のマンホールを利用して汚物を処理するための男性用の組立式小便器及びトイレルームに関する。
【背景技術】
【０００２】
従来、地震等の災害が発生した場合やイベントが開催される場合に、現場で組み立てて設置する簡易式のトイレやトイレルームが様々開発されているが、その多くが男女共用タイプであるため、特に女性にとっては男女が一緒に利用することについて強い嫌悪感があった。
【０００３】
また、男性の場合、小便だけの利用が多く、それにも拘わらず順番待ちの列に並ばねばならないため、長蛇の列となる事態が頻発していた。
そのため、男性用に特化した組立式の小便器に関する技術が複数提案されており、その一例として、折畳式小便器および簡易トイレに関する特開２０１３−１１１２６５や、セルフ式簡易トイレに関する特開２００９−２３３３３６などが挙げられる。
【０００４】
特開２０１３−１１１２６５は、壁面に設けられた掛着部に小便器を取り付けると共に、壁面に設けられた取付部材にカウスを取り付けることで、小便器から流れた尿がカウスで受け止められるようになっており、受け止めた尿はホースを通じて外部に排出されるようにしたものである。構成が簡単であるため、設置の簡易性の点では優れているが、外部から衝撃を受けた場合は小便器やカウスが壁面から外れて落下してしまう虞があるため、キャンプ場などでの利用には適しているが、地震等の被災現場やイベント会場など非常の多くの人が集まる場面での利用には適していない。
【０００５】
特開２００９−２３３３３６は、組み立てた小便器の上部にある袋掛け部に袋の手持ち部分を引っ掛けると共に、袋を袋置き台部に載置して、その袋の中で用を足し、用便後は尿の入った袋の口を閉じて用便袋投入口に投入し、外部の箱内に投棄できるようにしたものである。これも組立てや設置は容易であるが、小便器と壁面との接合がないため、外部からの衝撃や強風で簡単に倒れてしまう虞があり、また、尿を入れた袋を廃棄する必要があるため、やはり非常に多くの人が集まる場面での利用には適していない。
【先行技術文献】
【特許文献】
【０００６】
【特許文献１】特開２０１３−１１１２６５号公報
【特許文献２】特開２００９−２３３３３３６号公報
【発明の概要】
【発明が解決しようとする課題】
【０００７】
このように、キャンプ場など少人数での利用に適した簡易トイレは種々存在しているが、組立や設置が容易であり、且つ、大人数での利用にも耐えることができる、耐用性に優れた簡易トイレ特にマンホールの利用を前提とした簡易トイレは十分には提供されていないのが現状である。地震等の災害が発生した場合、迅速にライフラインを確保することは最も重要なことであるが、それと同時に、人間の生理現象である排泄を清潔且つ安心して行える環境を作ることも非常に重要である。事実、被災地で問題となったトラブルの上位にトイレ問題が挙げられているからである。
【０００８】
来たるべき大震災などの災害に備え、現在、国土交通省は「仕方ないから使う」から「誰もが使いたい」と思うトイレの整備・確保を推進しており、その最も有力な候補となっているのがマンホールトイレであり、現に「マンホールトイレ整備・運用のためのガイドライン」が既に国土交通省によって策定されている。
【０００９】
本発明は、まさにこの国土交通省が推進するマンホールトイレに対応する組立式小便器及びトイレルームとして開発されものであり、組立や設置が簡単であるにも拘わらず、大人数による利用や余震など外部の衝撃や強風にも耐えられる強度を備え、しかも、清潔で安心して用を足せる男性用の組立式小便器及びトイレルームの提供を課題とするものである。
【課題を解決するための手段】
【００１０】
本発明は、如上の課題を解決するため、尿受け部と壁面部が折り畳み可能となっているシート状の小便器であって、前記尿受け部と前記壁面部の各両サイドに形成された尿の飛散を防止するためのフラップ部と、該フラップ部を谷折りするための第１の折線と、前記尿受け部を谷折りするための第２の折線とを有し、更に、前記第１及び第２の折線に沿って谷折りすることで立体化した際に、前記尿受け部のフラップ部と前記壁面部のフラップ部とを適切な部位で固定するための締結孔が各フラップ部に設けられており、また、前記壁面部にはこれを壁板に取り付けるための取付孔が設けられており、加えて、前記尿受け部には尿を排出するための排水口が設けられている組立式小便器の構成を採用する（請求項１）。
【００１１】
また、本発明は、請求項１に記載の発明であって、前記尿受け部のフラップ部と前記壁面部のフラップ部の各々には、該尿受け部と該壁面部及び該フラップ部の表面全体を被覆する漏斗部を固定するための締結孔が設けられており、前記漏斗部には前記排水口に挿通される排水ホースが備えられている組立式小便器の構成を採用する（請求項２）。
【００１２】
また、本発明では、小便器を設置するトイレルームであって、前記小便器は、前記尿受け部と前記壁面部の各両サイドに形成された尿の飛散を防止するためのフラップ部と、該フラップ部を谷折りするための第１の折線と、前記尿受け部を谷折りするための第２の折線とを有し、更に、前記第１及び第２の折線に沿って谷折りすることで立体化した際に、前記尿受け部のフラップ部と前記壁面部のフラップ部とを適切な部位で固定するための締結孔が各フラップ部に設けられており、また、前記壁面部にはこれを壁板に取り付けるための取付孔が設けられており、加えて、前記尿受け部には尿を排出するための排水口が設けられているトイレルームの構成を採用する（請求項３）。
【００１３】
更に、本発明では、請求項３に記載の発明であって、前記小便器の前記尿受け部のフラップ部と前記壁面部のフラップ部の各々には、該尿受け部と該壁面部及び該フラップ部の表面全体を被覆する漏斗部を固定するための締結孔が設けられており、前記漏斗部には前記排水口に挿通される排水ホースが備えられているトイレルームの構成を採用する（請求項４）。
【００１４】
加えて、本発明では、請求項３又は請求項４に記載のトイレルームであって、前記小便器を取り付ける壁板には、大人から子供まで対応できるよう、高さの異なる複数の取付孔が設けられているトイレルームの構成を採用する（請求項５）。
【発明の効果】
【００１５】
本発明に係る組立式小便器は大震災などの緊急時に簡易・迅速に組み立てることが可能なことは勿論のこと、長期にわたり清潔且つ安心して用を足すことができるものであり、また、本発明に係るトイレルームは前記した組立式小便器の効果はそのままに、外部から衝撃を受けた場合や強風の環境でも安全に用を足すことができるほか、現場で大人用又は子供用として設置できるなど、状況に応じた対応が可能である。また、折り畳み時は僅かな幅であるため、自宅や会社、施設などの僅かなスペースに収納することが可能である。
【図面の簡単な説明】
【００１６】
【図１】折り畳んだ状態の組立式小便器を示す図面である。
【図２】組立式小便器の尿受け部を開いた状態を示す展開図である。
【図３】組立式小便器の尿受け部と壁面部の各両サイドに形成されたフラップ部を谷折りした状態を示す図面である。
【図４】図３から更に尿受け部を谷折りして組立式小便器を立体化した状態を示す図面である。
【図５】組立が完了した組立式小便器に漏斗部をセットする状態を示す図面である。
【図６】組立式小便器に漏斗部を取付ける状態を示す図面である。
【図７】漏斗部のセットが完了した組立式小便器を示す図面である。
【図８】組立式小便器が設置されたトイレルームを示す図面である。
【発明を実施するための形態】
【００１７】
本発明は、組立式小便器とこの組立式小便器が設置されるトイレルームに関するものであり、男性専用としたものである。以下、図面に基づいて説明する。
【００１８】
図１は、折り畳んだ状態の組立式小便器１を示す図面であり、利用に供されない平時にはこの折り畳んだ状態であるため、自宅や会社又は施設等の僅かなスペースに保管・収納しておくことが出来る。また、後述するトイレルームも薄型のパネルから成るため、折り畳んだ組立式小便器と共に同じスペースに保管・収納しておくことが可能である。
【００１９】
また、組立式小便器１はプラスチック段ボールのような軽量且つ高剛性の素材が用いられ、後述するトイレルームも中空タイプのプラスチック製パネルのような軽量且つ高剛性の素材が用いられるため、災害などの有事には女性や子供でも簡単に持ち運ぶことが可能である。
【００２０】
図２は、組立式小便器１の尿受け部２を開いた状態を示す展開図であり、この状態とすることで組立式小便器の組立てが可能となる。組立式小便器１を展開した状態で尿受け部２と壁面部３が現出し、尿受け部２と壁面部３の各両サイドには利用時に尿の飛散を防止することに資するフラップ部Ｆ１〜Ｆ４が形成されている。また、フラップ部Ｆ１〜Ｆ４には、組立式小便器を組み立てる際に適切な部位で双方を固定するための締結孔４が設けられているほか、壁面部３には組立てが完了した組立式小便器１を壁板に取り付けるための取付孔５が設けられている。また、尿受け部２には組立てが完了して用を足した際に尿を排出するための排水口６が設けられている。
【００２１】
また、図示するように、フラップ部Ｆ１〜Ｆ４と尿受け部２及び壁面部３との境界には、フラップ部Ｆ１〜Ｆ４を谷折りするための第１の折線Ａを有しており、更に、尿受け部２と壁面部３との境界には、尿受け部２を谷折りするための第２の折線Ｂを有している。
【００２２】
図３は、組立式小便器１の尿受け部２壁面部３の各両サイドに形成されたフラップ部Ｆ１〜Ｆ４を、第１の折線Ａに沿って谷折りした状態を示す図面であり、図示するように、谷折りした状態では、フラップ部Ｆ１〜Ｆ４が尿受け部２と壁面部３に対して略直角に立ち上がっている。
【００２３】
続いて、尿受け部２を第２の折線Ｂに沿って谷折りし、尿受け部２のフラップ部Ｆ１及びＦ２が壁面部３のフラップ部Ｆ３及びＦ４の外側に重なるよう立ち上げていき、適切な部位で固定できるよう設けられた双方の締結孔４の位置が一致したら、締結具７を用いて固定する。なお、簡易・迅速に組み立てられるよう、締結具７はワンプッシュで固定できるものが用いられる。
【００２４】
かくして、フラップ部Ｆ１とフラップ部Ｆ３とが締結具７で固定され、フラップ部Ｆ２とフラップ部Ｆ４とが締結具７で固定されると、図４に示すように、組立式小便器１が立体化し、組立てが完了する。組立てが完了した状態では各フラップ部Ｆ１〜Ｆ４が連続して立ち上がっているため、利用時の尿の飛散を防止することができる。
【００２５】
本発明に係る組立式小便器は、排水口６にホースを設けてマンホールに排水したり、若しくは、排水口６をマンホールの上部に位置するように設置することで、この状態でも利用することが可能であるが、組立式小便器１本体の汚れを防止し、長期且つ繰り返して利用することができるよう、尿受け部２と壁面部３及びフラップ部Ｆ１〜Ｆ４の表面全体を排水ホース９が備えられた漏斗部８で被覆する形態の採用も予定している。なお、漏斗部８はポリ塩化ビニルなど強度や対候性に優れた防水性素材が用いられる。
【００２６】
図５は、組立てが完了した組立式小便器１の尿受け部２と壁面部３及びフラップ部Ｆ１〜Ｆ４の表面全体を漏斗部８で被覆するようセットする状態を示す図面であり、漏斗部８の適宜の部位に尿をマンホールに排水するための排水ホース９が備えられており、排水口６に挿通されている。また、漏斗部８には、尿受け部２とフラップＦ１〜Ｆ４に設けられた締結孔１０と合致する複数の固定孔１１が適宜の部位に設けられている。
【００２７】
図６は、組立式小便器１に漏斗部８を取付ける状態を示す図面であり、漏斗部８を尿受け部２と壁面部３及びフラップ部Ｆ１〜Ｆ４の表面全体を被覆し、尿受け部２とフラップ部Ｆ１〜Ｆ４に設けられた締結孔１０と漏斗部８に設けられた固定孔１１とが合致する部位で締結具１２を用いて固定する。また、組立式小便器１の形状維持を持続し、より安定的に利用するため、図示したように、フラップ部Ｆ３とＦ４の上部にステーを組み込んでも良い。かくして、組立式小便器１への漏斗部８のセットが完了すると、図７に示す状態となり、利用時に尿が飛散する全ての面が漏斗部８で被覆されるため、清潔な状態で且つ長期にわたり利用することができる。
【００２８】
また、本発明では前記した組立式小便器をより有効に活用するため、上の組立式小便器を設置したトイレルームの形態の採用も予定している。なお、トイレルームは中空タイプのプラスチック製パネルのような軽量且つ高剛性の素材が用いられるため、災害などの有事には女性や子供でも簡単に持ち運ぶことが可能である。
【００２９】
図８は、前述した組立式小便器１が設置されたトイレルーム１３を示す図面であり、組立式小便器１は、その壁面部３に設けられた取付孔５と、トイレルーム１３の壁板１４に設けられた取付孔１５とが合致する部位で、取付具１６によって壁板１４上に取り付けられている。尿受け部２に放出された尿は排水ホース９を伝ってマンホール内に排出される。
【００３０】
また、図示したように、トイレルーム１３の壁板１４に設けられる取付孔１５は、高さを異ならせて複数設けられているため、組立式小便器１を壁板１４に取付ける高さを調整することが可能である。そのため、現場の状況に応じて、大人用トイレルームから子供用トイレルームまで自由に対応することができる。図示したトイレルームでは、壁板１４に複数設けられた取付孔の内、低い部位に設けられた取付孔と組立式小便器の壁面部３に設けられた取付孔５とが合致する部位で、取付具１６によって取り付けられており、子供用であることを示している。もちろん、子供用とはいえ、大人も利用できることは言うまでもない。
【産業上の利用可能性】
【００３１】
本発明に係る組立式小便器は、大震災などの緊急時に簡易・迅速に組み立てることが可能なことは勿論のこと、長期にわたり清潔且つ安心して用を足すことが可能であり、また、トイレルームは上の組立式小便器がそのまま利用できることに加え、外部から衝撃を受けた場合や強風の環境でも安全に用を足すことができ、更に、現場で大人用又は子供用として設置できるなど、状況に応じた対応が可能である。そうして、軽量であり、平時には折り畳まれており場所を取らないため、屋内に僅かな収納スペースを有する自宅から会社、学校や役所などあらゆる施設で利用することが可能である。
【符号の説明】
【００３２】
１    組立式小便器
２    尿受け部
３    壁面部
４    締結孔
５    取付孔
６    排水口
７    締結具
８    漏斗部
９    排水ホース
１０  締結孔
１１  固定孔
１２  締結具
１３  トイレルーム
１４  壁板
１５  取付孔
１６  取付具
Ａ    第１の折線
Ｂ    第２の折線
Ｆ１〜Ｆ４  フラップ部
【図１】
2018202109.tif 000003
【図２】
2018202109.tif 000004
【図３】
2018202109.tif 000005
【図４】
2018202109.tif 000006
【図５】
2018202109.tif 000007
【図６】
2018202109.tif 000008
【図７】
2018202109.tif 000009
【図８】
2018202109.tif 000010
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
尿受け部と壁面部が折り畳み可能となっているシート状の小便器であって、前記尿受け部と前記壁面部の各両サイドに形成された尿の飛散を防止するためのフラップ部と、該フラップ部を谷折りするための第１の折線と、前記尿受け部を谷折りするための第２の折線とを有し、更に、前記第１及び第２の折線に沿って谷折りすることで立体化し、前記尿受け部のフラップ部と前記壁面部のフラップ部とが適切な部位で固定された際に、これを壁板に取り付けるための取付孔が前記壁面部に設けられており、加えて、前記尿受け部には尿を排出するための排水口が設けられていることを特徴とする組立式小便器。
【請求項２】
請求項１に記載の組立式小便器であって、前記尿受け部のフラップ部と前記壁面部のフラップ部の各々には、該尿受け部と該壁面部及びフラップ部の表面全体を被覆する漏斗部を固定するための締結孔が設けられており、前記漏斗部には前記排水口に挿通される排水ホースが備えられていることを特徴とする組立式小便器。
【請求項３】
小便器を設置するトイレルームであって、前記小便器は、
前記尿受け部と前記壁面部の各両サイドに形成された尿の飛散を防止するためのフラップ部と、該フラップ部を谷折りするための第１の折線と、前記尿受け部を谷折りするための第２の折線とを有し、更に、前記第１及び第２の折線に沿って谷折りすることで立体化し、前記尿受け部のフラップ部と前記壁面部のフラップ部とが適切な部位で固定された際に、これを壁板に取り付けるための取付孔が前記壁面部に設けられており、加えて、前記尿受け部には尿を排出するための排水口が設けられていることを特徴とするトイレルーム。
【請求項４】
請求項３に記載のトイレルームであって、前記小便器の前記尿受け部のフラップ部と前記壁面部のフラップ部の各々には、該尿受け部と該壁面部及びフラップ部の表面全体を被覆する漏斗部を固定するための締結孔が設けられており、前記漏斗部には前記排水口に挿通される排水ホースが備えられていることを特徴とするトイレルーム。
【手続補正２】
【補正対象書類名】明細書
【補正対象項目名】００１０
【補正方法】変更
【補正の内容】
【００１０】
本発明は、如上の課題を解決するため、尿受け部と壁面部が折り畳み可能となっているシート状の小便器であって、前記尿受け部と前記壁面部の各両サイドに形成された尿の飛散を防止するためのフラップ部と、該フラップ部を谷折りするための第１の折線と、前記尿受け部を谷折りするための第２の折線とを有し、更に、前記第１及び第２の折線に沿って谷折りすることで立体化し、前記尿受け部のフラップ部と前記壁面部のフラップ部とが適切な部位で固定された際に、これを壁板に取り付けるための取付孔が前記壁面部に設けられており、加えて、前記尿受け部には尿を排出するための排水口が設けられている組立式小便器の構成を採用する（請求項１）。
【手続補正３】
【補正対象書類名】明細書
【補正対象項目名】００１２
【補正方法】変更
【補正の内容】
【００１２】
また、本発明では、小便器を設置するトイレルームであって、前記小便器は、前記尿受け部と前記壁面部の各両サイドに形成された尿の飛散を防止するためのフラップ部と、該フラップ部を谷折りするための第１の折線と、前記尿受け部を谷折りするための第２の折線とを有し、更に、前記第１及び第２の折線に沿って谷折りすることで立体化し、前記尿受け部のフラップ部と前記壁面部のフラップ部とが適切な部位で固定された際に、これを壁板に取り付けるための取付孔が前記壁面部に設けられており、加えて、前記尿受け部には尿を排出するための排水口が設けられているトイレルームの構成を採用する（請求項３）。
【手続補正４】
【補正対象書類名】明細書
【補正対象項目名】００１４
【補正方法】削除
【補正の内容】